Podtech/llm-jp-corpus-v4-ja_patent huggingface dataset:
(57)【要約】【課題】本来ならば、花と水を入れた状態ではバランスを崩して自立しない、細長い筒状の花器を自立させる事を課題とする花器。【手段】本来ならば、花と水を入れた状態ではバランスを崩して自立しない、細長い筒状の花器の下端部に磁石を埋め込む。このことにより、磁石の磁力によってスチール製の水平面上に、細長い筒状の花器を自立させることが可能となる。【選択図】図１
2007209734.tif 000002
【特許請求の範囲】
【請求項１】
細長い筒状の下端部に磁石を埋め込み、その磁力によってスチール製の面上に自立する花器。
【発明の詳細な説明】
【技術分野】
【０００１】  本発明は、細長い筒状の花器の下端部に磁石を埋め込み、磁力によってスチール製の面に、自立する花器に関するものである。
【背景技術】
【０００２】  従来の花器は、水と花を入れた時の安定を保つためにベース部分を大きくする必要があり、ベース部分が大きくなっているものが主流である。また、ベース部分を大きくしない場合には全体を大きくするか、重量を重くしたものになっている。
【発明の開示】
【発明が解決しようとする課題】
【０００３】  しかしながら、ベースを大きくすると、スペースを大きく取る。かといって、全体を大きく、重量を重くしたのでは、持ち運びが難しくなってしまう。
そこで本発明は、上記の問題を解決し、花器を自立させることを課題とする。
【課題を解決するための手段】
【０００４】  上記の問題を解決するために、花と水を入れた状態では自立しない細長い筒状の花器の下端部に磁石を埋め込み、磁力によってスチール製の面上に自立する構成とする。【０００５】  また上記細長い筒状の花器は一輪の花の茎が容易に入る必要最低限の筒の直径を有する。
【発明の効果】
【０００６】  本発明は、磁力によって花器を自立させるため、本来ならば花と水を入れた状態ではバランスを崩して自立しない、細長い筒状の花器を自立させることが可能となる。このことにより、形状のコンパクト化、重量の軽減が可能となり、スペースを大きく取らずに一輪挿しの花器を配することが出来る。
【発明を実現するための最良の形態】
【０００７】  以下、本発明品の実施の形態を説明する。
（イ）ステンレスなどの細長い筒（３）の下端部に、磁石（４）を埋め込む。
（ロ）ステンレスなどの細長い筒（３）の中程で、水止め（２）を設ける。
本発明は以上のような構成よりなる。
【０００８】  スチール製などの水平面（５）に、磁力によってステンレスなどの細長い筒（３）製の花器を自立させるため、本来ならば花（６）と水（１）を入れた状態ではバランスを崩してしまい自立しない、細長い筒状の花器を自立させることが可能となる。
【０００９】  このことで、花器の形状のコンパクト化、重量の軽減が可能となり、スペースを大きく取らずに一輪挿しの花器を配することが出来る為、スペースのない場所でも花を生けることが出来る。また、花器の重量が軽いため持ち運びも容易である。
【図面の簡単な説明】
【図１】本発明の垂直面の断面図である。
【図２】本発明の水平面の断面図である。
【符号の説明】
（１）水、（２）水止め、（３）細長い筒状のステンレス、（４）磁石、（５）スチール製の水平面、（６）花
【図１】
2007209734.tif 000003
【図２】
2007209734.tif 000004
(57)【要約】【課題】水だけで汚れを落とせるメラミン樹脂製スポンジの特性を十分に生かし、尚かつ、手が汚れずに、容易に汚れたメラミン樹脂製スポンジを廃棄できるようにしたメラミン樹脂製スポンジの保持具を提供する。【解決手段】雄ねじ１ａの付いた円筒１に、メラミン樹脂製スポンジ３を圧縮して入れ込み、それに雌ねじ２ａと丸棒２ｂの付いた外円筒２を挿入し、時計回りに回転させれば丸棒２ｂがメラミン樹脂製スポンジ３に圧力をかけ円筒１の中から自在に押し出すことができる。【選択図】図１
2007209732.tif 000002
【特許請求の範囲】
【請求項１】
メラミン樹脂製のスポンジを圧縮して収納する為の円筒を有し、その円筒の内径に一致する外径の丸棒を設け、その丸棒がネジその他の機構により円筒内のメラミン樹脂製スポンジを徐々に押し出すことが出来、尚かつその状態を保持することを可能にする構造を持つメラミン樹脂製スポンジの圧縮保持具。
【発明の詳細な説明】
【発明の詳細な説明】
【技術分野】
【０００１】  本発明は、水だけで汚れを落とすことができるメラミン樹脂製スポンジの保持具に関するものであり、手を汚さず強固な汚れも落とすことができ、尚かつメラミン樹脂製スポンジを無駄なく最後まで使用できるようにしたメラミン樹脂製スポンジの圧縮保持具に関するものである。
【背景技術】
【０００２】  従来より、メラミン樹脂製スポンジは、水だけで汚れを落とせるスポンジとして、様々な用途に使用されている。
【発明が解決しようとする課題】
【０００３】  しかし、メラミン樹脂製スポンジは主に手で保持して使用されるため、強固な汚れを落とそうとして強く物に押しつけると変形してしまい、保持している手も汚れやすかった。また、この使用法ではスポンジ全体が汚れてしまう為、大きなスポンジを早々と廃棄することが多かった。
【０００４】  本発明はこの課題を解決するためになされた。本発明の目的は、圧縮して強く押しつけることにより水だけで強固な汚れも落とすことができるというメラミン樹脂製スポンジの特徴を最大限にいかし、尚かつ手を汚すことなくスポンジの汚れた部分のみを簡単に切り落とすことができるようにすることにある。
【課題を解決するための手段】
【０００５】  上記目的を達成するために、本発明ではメラミン樹脂製スポンジを円筒の中に圧縮して収納し、その円筒の内径に等しい外径を持つ丸棒をネジ等の機構により円筒の一方から円筒の内部に送り込めるようにした。
【０００６】  これにより、メラミン樹脂製スポンジは常に圧縮された状態で円筒内に保持され、円筒の一方より挿入された丸棒により、メラミン樹脂製スポンジは円筒の反対側より使用する部分のみが円筒の外にはみ出すことになる。この円筒を手で保持し、メラミン樹脂製スポンジの円筒の外にはみ出した部分で汚れた物体を磨くことにより、強い圧力で対象物を磨くことができる。また、丸棒をネジ等の機構により円筒内に送り込むことによりメラミン樹脂製スポンジを必要なだけ送り出し、汚れた部分だけカッターナイフ等で切断し廃棄することができる。
【発明を実施するための最良の形態】
【０００７】  図１において、本発明のメラミン樹脂製スポンジの圧縮保持具の円筒１の内部にメラミン樹脂製スポンジ３を圧縮して収納し、円筒１の外部には雄ねじ１ａが設けられており、それに雌ねじ２ａと丸棒２ｂを設けた外円筒２を挿入し、円筒１を片手で持ちながら外円筒２をもう一方の手で時計回りに回転させれば、丸棒２ｂは円筒１の内部に送り込まれ、圧縮されたメラミン樹脂製スポンジ３が必要なだけ円筒１より送り出されることになる。円筒１と外円筒２を手で持ち、メラミン樹脂製スポンジ３の円筒１よりはみ出した部分を使って、手を汚すことなく対象物に強い力で押しつけて対象物の汚れを落とすことができる。また、メラミン樹脂製スポンジ３の汚れた部分は、外円筒２を時計回りに回転させて送り出し、カッターナイフなどで簡単に切り落とすことができる。【０００８】  図２において、メラミン樹脂製スポンジ３を使い終わったところである。円筒１を片手で持ちながら、外円筒２を反時計回りに回転させて円筒１より分離し、円筒１に新しいメラミン樹脂製スポンジを圧縮しながら詰めなおせば、再び使用する事ができる。
【図面の簡単な説明】
【図１】本発明の一実施形態であるメラミン樹脂製スポンジの圧縮保持具の縦断面を示す断面図である。
【図２】本発明の一実施形態であるメラミン樹脂製スポンジの圧縮保持具のスポンジを使い終わった状態の縦断面を示す断面図である。
【図３】本発明の一実施形態であるメラミン樹脂製スポンジの圧縮保持具の斜視図である。
【符号の説明】
１・・・円筒、２・・・外円筒、３・・・メラミン樹脂製スポンジ、１ａ・・・雄ねじ、２ａ・・・雌ねじ、２ｂ・・・丸棒。
【図１】
2007209732.tif 000003
【図２】
2007209732.tif 000004
【図３】
2007209732.tif 000005
(57)【要約】      （修正有）【課題】従来マグネット製品の使用はスチール製又はスチールを組み込んだボード等、場所、物質が限られていた。場所、物質の制限の緩和を提供する。【解決手段】薄鉄板片（１）と両面シール（２）を接着させる事により  スチール製品以外の物体に接着させピンポイントにスチール化する事により、ガラス、ステンレス、タイル、板、プラスチック等、例外を除き平面な物体に接着すればそのポイントが瞬時にスチールと化し、マグネット製品が使用可能となる。【選択図】図１
2007209736.tif 000002
【特許請求の範囲】
【請求項１】
薄鉄板片（１）と両面シール（２）を接着させ例外を除き平面な物体に接着させる事によりそのポイントをを即時にピンポイントにスチール化するピンポイントスチール。
【発明の詳細な説明】
【発明の詳細な説明】
【技術分野】
【０００１】この発明は薄鉄板片に両面シールを接着し、例外を除いた平面な物体に接着し即時にピンポイントにスチール化する
【背景技術】
【０００２】従来、例外を除いた平面な物体を即時にピンポイントにスチール化する技術を知り得ていない。
【発明が解決しようとする課題】
【０００３】本発明は、スチール製叉はスチールが組み込まれたボード等、しか利用されていないマグネット製品を場所、物質の制限なく利用できる事を目的にピンポイントにスチール化するピンポイントスチールを提供することである。
【課題を解決するための手段】
【０００４】請求項１のピンポイントスチールは、（１）薄鉄板片と両面シールを接着させる．（２）例外を除き任意の平面な物体に接着する事によりそのポイントをスチール化する。
【発明の効果】
【０００５】従来の家庭用マグネット製品類の使用方法は冷蔵庫、キッチン台等スチール製品に限定され、オフィスにおいてはボード、ロッカー、スチール製の棚等々全てスチール製品に限定されていた。
ピンポイントスチールによればガラス、ステンレス、タイル、板、プラスチック等、例外を除き平面な物体に接着すればそのポイントが瞬時にスチールと化し、マグネット製品が使用可能となる。
【図面の簡単な説明】
【図１】  本発明の斜視図である。
【符号の説明】
１  薄鉄板片
２  両面シール
【図１】
2007209736.tif 000003
(57)【要約】【課題】  本発明は飲食用の乳幼児用スプーンである。通常は両端にスプーンがない為、数本を使い分けなければならない、また乳幼児は握力が安定せず床やテーブルに落としやすくスプーンの清潔を保ちにくい。その為、持ちやすく、落としても清潔を保てる乳幼児用スプーンを提供する。【手段】  形の異なるスプーンを両端に設ける。持手部分に凹凸を、上下対称に丸みを設ける。【選択図】図１
2007209733.tif 000002
【特許請求の範囲】
【請求項１】
形の異なるスプーンを両端に有し、持手部分に凹凸、上下対称に丸み厚みを設けた飲食用乳幼児用スプーン
【発明の詳細な説明】
【技術分野】
【０００１】  本発明は飲食時に使用する幼児用スプーンであってテーブルを汚さず持ちやすい幼児用スプーンに関するものである。
【背景技術】
【０００２】  従来乳幼児用スプーンは様々な工夫、形状のものがあり広く使用されている
【発明の開示】
【発明が解決しようとする課題】
【０００３】  乳幼児用スプーンを使用する際、次のような問題点があった。
食物をより小さくしなければならず、つぶす為の平たいスプーン、乳幼児は口が小さい為その形状に合うスプーンが必要であり、少なくとも２本は必要である。
乳幼児は、自ら食事する際、握力が安定しない為、床やテーブルにスプーンを落としやすく、清潔に保てない場合がある。
本発明は以上の問題点を解決したものである。
【課題を解決するための手段】
【０００４】  形の異なるスプーンを両端に設ける。
持手部分に凹凸、上下対称に丸み、厚みを設ける。
本発明は、以上の構成よりなるテーブルを汚さず持ちやすい乳幼児用スプーンである。
【発明の効果】
【０００５】  本発明を使用する事により、両端にスプーンを設けてあるのでスプーンを複数用いずに済む。
凹凸、丸み、厚みがある為、手に持ちやすく落としても床を汚さずに済む。
【発明を実施するための最良の形態】
【０００６】  以下、本発明の実施の形態を説明する。
（イ）  ポリプロピレン、その他の樹脂などからなる両端に形の異なる大スプーン（１）と小スプーン（２）を設ける。
（ロ）  持手部分（３）に凹凸（４）を設け、更に持手部分（３）の上下対称に丸み（５）を設ける。
（ハ）  床やテーブルに落としても汚さない為の厚み（６）を設ける。
本発明は以上の構成よりなる。
本発明を使用する場合は、持手部分（３）上下対称の丸み（４）厚み（５）大スプーン（１）で食物をつぶし、小スプーン（２）ですくい、乳幼児に食物を与えるのである。
乳幼児が使用する場合も同様である。
【図面の簡単な説明】
【０００７】
【図１】  本発明の斜視図
【図２】  本発明の要部拡大の正面図
【符号の説明】
【０００８】（１）大スプーン、（２）小スプーン、（３）持手部分、（４）凹凸、（５）丸み、（６）厚み
【図１】
2007209733.tif 000003
【図２】
2007209733.tif 000004
(57)【要約】【課題】  従来の掛布団は全体の厚さが均一であり、気温や体調の変化に即座に対応出来なかった。本発明は、季節の変わり目の寝苦しさや、幼児の寝汗対策、更年期女性の自律神経失調症状の代表であるホットフラッシュ、等に有効な対策となる掛布団を提供する。【解決手段】  一枚の掛布団に、厚さの異なる面積、薄部（１）と厚部（２）を併せ持たせることを特徴とする【選択図】図１
2007209708.tif 000002
【特許請求の範囲】
【請求項１】
１枚の布団に、厚さの異なる面積を併せ持った、掛布団。
【発明の詳細な説明】
【技術分野】
【０００１】  本発明は、一枚の布団に厚さの異なる布団面積を併せ持たせることにより、室温、体調による暑さ寒さに即座に対応でき、就寝中を快適に過ごすことができる、掛布団に関するものである。
【背景技術】
【０００２】  従来掛布団は、一枚の布団全体の面積が均一の厚さで製造されていた。
これまでに、一枚の布団の中に厚い面積を有する部分と、薄い面積を有する部分とが同時に存在する掛布団はなかった。
【発明の開示】
【発明が解決しようとする課題】
【０００３】  全体の厚さが均一の掛布団を使用の際、次のような不都合があった。
（イ）季節の変わり目、即ち初夏から梅雨どきにかけて、または晩夏から初秋の頃は、気温の変化が大きく、厚さが均一の掛布団を用いていても、室温の高低によって布団内環境に快、不快があり、頻繁に布団の取替えや、重ね掛けなどの手間が大きく、安眠の妨げになっていた。
（ロ）睡眠中は、年齢や体質、体調、時間帯や持病によって、暑さ寒さの感じ方に個人差があり、子供が入眠時に寝汗をかいたり、更年期の女性が自律神経失調症状によって、突然急激に体が熱くなるなどの例もあるように、均一の厚さを持つ掛布団ではその変化に即座に対応できないことがあった。
本発明は以上のような、就寝時に不快を感じるケースを持つ人々に対して、布団内環境の向上を提供するものである。
【課題を解決するための手段】
【０００４】  掛布団の中に、布団の厚さが厚い面積を有する部分と、厚さが薄い面積を有する部分を併せ持たせて、一枚の掛布団とする。
以上の構成よりなる薄厚併用掛布団である。
【発明の効果】
【０００５】  本発明を使用することにより、就寝中暑さを感じるときは、掛布団の厚さの薄い部分に自らの体を移動させるか、布団の位置をずらせばよい。また逆に寒さを感じるときは、反対の移動や、位置交換を行えばよい。こうして、布団内環境を快適に保つことができる。したがって、布団交換の手間を省き、最小の労力で睡眠を維持することができる。
また、第三者の手を借りての、薄部と厚部の位置交換も簡易である。
【発明を実施するための最良の形態】
【０００６】  以下、本発明の実施の形態を説明する。
（イ）一枚の掛布団の中に、薄い面積を有する部分（１）と、厚い面積を有する部分（２）を併せ持たせ、製造する。
（ロ）使用目的により、それぞれの面積の配置は次のように考えられる。
▲１▼布団の縦方向に対して、垂直に薄厚部を分割する。
▲２▼布団の縦方向に対して、水平に薄厚部を分割する。
（ハ）なお掛布団の素材は、従来の布団と同じく、綿、人工綿、羽毛を内部に充填し、これを布でくるんだ生地や、織物、編物で良い。これを縫製加工し、完成品とする。
【図面の簡単な説明】
【０００７】
【図１】本発明の斜視図
【図２】本発明の一部断面図
【図３】本発明の図１以外の実施例の斜視図
【符号の説明】
【０００８】    （１）薄い面積を有する部分、（２）厚い面積を有する部分
【産業上の利用可能性】
【０００９】  本発明は、寝具の季節商品として、また更年期女性向けとして、また乳幼児向けのベビー用品としての各分野で利用できる。
【図１】
2007209708.tif 000003
【図２】
2007209708.tif 000004
【図３】
2007209708.tif 000005
(57)【要約】【課題】  歩行バランス能力向上、転倒予防、腰部・腿・股の筋力増加、腰痛や関節炎予防、ダイエット効果、多様な歩行パターンを実現することが可能な歩行バランス訓練具を提供する。【解決手段】  歩行バランス訓練具１１は、上にタンクトップ形、下にスカート形をした軟質材料の着用手段１０と、膝周辺の高さに肢を囲む硬質材料の円環１２と、円環の下に取り付けた重りとしての小袋１７と、小袋を取り付けたための連結具１５と、着用者の身長に合わせて着用手段１０の長さを調節するための調節具１８とを備えている。歩行時軟質材料の着用手段と硬質材料の円環と重りの揺れがある。この揺れを克服して歩くことによって、装着者のバランス能力向上、転倒予防などを実現することができる。【選択図】図１
2007209730.tif 000002
【特許請求の範囲】
【請求項１】
歩行時体のバランス訓練をさせるバランス訓練具であって、体の上半身にタンクトップ形、下半身にスカート形をした軟質材料の着用手段と、膝周辺の高さに下肢を囲む硬質材料の円環と、円環の下に取り付けた重りとしての小袋と、小袋を取り付けたための連結具を備えることを特徴とする歩行バランス訓練具。
【請求項２】
前記の円環の下に取り付けた小袋には、砂又は水などを入れており、砂と水の量の調整が可能であること、円環に付けた連結具が多数あり、取り付けた小袋の個数と位置が自由に調整できることを特徴とする請求項１記載のバランス訓練具。
【発明の詳細な説明】
【発明の詳細な説明】
【技術分野】
【０００１】  本発明は歩行バランス訓練を行うためのバランス訓練具に関するものである。
【背景技術】
【０００２】  人は、生まれた瞬間から地球の重力と戦うことで、バランス能力の向上につれて、座る、立つ、歩く、そして自由に多様な運動が出来るようになる。バランス能力が弱くなってしまうと、転倒、骨折、寝たきり、そして死亡との悪循環に落ちてしまう恐れがある。したがって、バランス能力は人間にとっては無くてはならない機能である。バランス機能は、筋力に比べ急速に衰え、その衰えが自覚しにくい。  しかし、バランス訓練を恒常的に行うと、バランス機能が回復し、転倒予防や全身の健康増進に効果がある。最近、シェイプアップバランサー（バランスボード）、バランス訓練器具のジョーバ、エクササイズボール（バランスボール）等は提案され商品化されている。これらは立位バランス訓練器具である。【０００３】  歩行バランスは、立位姿勢の保持や立ち上がる、歩くといった基本的な動作から、空間内での体勢変換・保持等、様々な場面に必要とされる複合的な能力である。最近の医学研究では立位バランスと歩行バランスに相関なく、立位バランスと歩行バランスの能力は本質的に異なり、両者の因子関連が見られなかったことが判った。更に、立位バランス訓練により得られたバランス能力の向上は、あくまで静止する状態での効果であり、動的状態での向上と異なることも最近の医学研究結果に実証されている。歩行中の転倒事故が静止状態より多く発生する。従って、立位バランス訓練だけではなく、転倒予防に歩行バランス訓練も非常に重要である。
【発明の開示】
【発明が解決しようとする課題】
【０００４】  ところで、立位バランス訓練器具は幾つか販売されているが、歩行バランス訓練具は見当たらなかった。【０００５】  本発明は、このような点に鑑みて創作されたものであり、歩行バランス能力向上、転倒予防、腰部・腿・股の筋力増加、腰痛や関節炎予防、ダイエット効果、美しい歩行姿勢・多様な歩行パターンを実現することが可能な歩行バランス訓練具を提供することを目的とする。
【課題を解決するための手段】
【０００６】  上述した課題を解決するために、本発明の歩行バランス訓練具は、体の上半身にタンクトップ形、下半身にスカート形をした軟質材料の着用手段と、膝周辺の高さに下肢を囲む硬質材料の円環と、円環の下に取り付けた重りとしての小袋と、小袋を取り付けたための連結具を備えることを特徴としている。【０００７】  更に、円環の下に取り付けた小袋には、砂又は水などを入れており、砂と水の量の調整が可能であること、円環に付けた連結具が多数あり、取り付けた小袋の個数と位置が自由に調整できることを特徴としている。
【発明の効果】
【０００８】  本発明の歩行バランス訓練具によれば、歩行時軟質材料の着用手段と硬質材料の円環と重りの揺れがあり、この揺れを克服して歩くことによって、装着者のバランス能力向上、転倒予防、腰部・腿・股の筋力増加、腰痛や関節炎予防、ダイエット効果、美しい歩行姿勢・多様な歩行パターン、脳の運動野に刺激を与えることで脳の活性化効果を実現する。
【発明を実施するための最良の形態】
【０００９】  以下、図面に基づき、本発明の実施形態について説明する。【００１０】  図１は本発明の歩行バランス訓練具１１の例を示す図であり、上にタンクトップ形、下にスカート形をした軟質材料の着用手段１０が示されている。同図に示す調節具１８は、着用者の身長に合わせて円環１２の位置は膝周辺にあるように着用手段１０の長さを調節するための調節具である。硬質材料の円環１２の下に連結具１５を多数有しており、着用者は訓練効果により小袋１７を適当な位置に付けることができる。【００１１】  図２は小袋の例、水袋１９と砂袋２０を示す図である。水袋１９に水の注入口２１、砂袋２０に砂袋口の止め具２２を有している。【００１２】  図３は一実施形態の歩行バランス訓練具１１を装着した状態を示す図である。同図に示す訓練具１１の円環１２に連結具１５を通して重り（水袋１９又は砂袋２０等）を取り付けている。円環１２の位置は調節具１８の調節により装着者の膝周辺にある。歩行時軟質材料の着用手段と硬質材料の円環と重りの揺れがあり、且つ重りの重さや位置の違いにより、揺れの度合いも違う。この揺れを克服して歩くことによって、装着者のバランス能力向上、転倒予防、腰部・腿・股の筋力増加、腰痛や関節炎予防、ダイエット効果、美しい歩行姿勢・多様な歩行パターンを実現することができる。
【図面の簡単な説明】
【図１】  本発明の歩行バランス訓練具の例を示す図であり、
【図２】  小袋の例を示す図である。
【図３】  一実施形態の歩行バランス訓練具を装着した状態を示す図である。
【符号の説明】
１０  着用手段
１１  歩行バランス訓練具
１２  円環
１５  連結具
１７  小袋
１８  円環位置の調節具
１９  水袋
２１  水の注入口
２０  砂袋
２２  砂袋口の止め具
【図１】
2007209730.tif 000003
【図２】
2007209730.tif 000004
【図３】
2007209730.tif 000005
(57)【要約】【課題】高齢者、身障者、小さな子供が食事をするときは、食卓テーブルに食べ物、飲み物をこぼすことは普通であり、その処置が大変であり、回りの方々に迷惑をかけているのが現状であり、それらは布巾、雑巾で、その都度後始末をしている状態を解決する為に食卓テーブルの周囲に脱着可能なこぼれ防止具を取りつけて、食後に後始末が出来る食卓テーブル及びカウンターのこぼれ防止具を提供する。【解決手段】  丸型、角型、コタツ等の食卓テーブルに脱着可能な、木製、合成樹脂製のこぼれ防止具を設ける事で、食卓の上にこぼした食べ物、飲み物を食卓テーブルの外、下にこぼさずにくいとめ衣服、床、ジュウタン等を汚さずに、こぼれ防止具の中に落としこむ事を特徴とするこぼれ防止具付き食卓テーブル。【選択図】図１
2007209724.tif 000002
【特許請求の範囲】
【請求項１】
食卓テーブルの周囲にこぼれ防止具を取りつけた事を特徴とする食卓テーブル及びカウンターのこぼれ防止具。
【請求項２】
丸型、角型、カウンター、コタツ等の各種食卓テーブルの周囲のふちに、こぼれ防止具を取付できた請求項１記載の食卓テーブル及びカウンターのこぼれ防止具。
【請求項３】
こぼれ防止具が着脱可能な請求項１〜２記載の食卓テーブルおよびカウンターのこぼれ防止具。
【請求項４】
丸型、角型等各種形状が可能な請求項１〜３記載の食卓テーブル及びカンターのこぼれ防止具。
【発明の詳細な説明】
【技術分野】
【０００１】  本発明は、老人ホーム、障害者施設、高齢者において、食卓テーブル、カウンター、コタツ板で食事をする際に食卓テーブル等に食物、ジュース、ミルク等の飲み物類をこぼしても、食卓テーブルの外，又は衣服、床にこぼれ落ちないためのこぼれ防止具に関する。
【背景技術】
【０００２】  従来は、老人ホーム、障害者施設、一般家庭の高齢者、又は小さな子供が食事中食べ物、飲み物を食卓にこぼす際に、食卓、テーブルの外にこぼす事が多いが、これらを解決する食卓、テーブルは見あたらなく、一般的には布巾、雑巾等で拭く以外には無く、食卓の下に落ちた食物を整理するのは以外に大変であり、衣服、床、ジュウタン等を汚すため回りに迷惑をかける状態である。介護用食事テーブル、介護用テーブル等介護用専用のテーブルはあるが、高齢者、障害者、小さな子供などにも使用できる一般的な食卓テーブルは無い。
例えば、特許文献１  特許２７５８１３２号公報。
特許文献２  特開平０６−０８１５２５号公報。
【発明の開示】
【発明が解決しようとする課題】
【０００３】  それには次のような問題点があった。
（イ）介護専用の食卓は有るが、高齢者、障害者、小さな子供がいる一般家庭の食卓          テーブル又はカウンター等でこぼれ防止具のついた食卓テーブルは無い。
（ロ）従来の介護用食事テーブルは、一人用であり，価格も高価である。
（ハ）一般家庭でも使用できるこぼれ防止具のついた食卓テーブルが望まれている。
（ニ）こぼれ防止具が容易に外れ、掃除が簡単にでき、取付も簡単な物はない。
（ホ）食卓テーブル及びカウンター他コタツ板のふちに取り付け、掃除するための脱          着自由、又どの方向のこぼれにも対応可能で、テーブル周囲に取り付けられる          ものはない。
本発明は、以上の問題点を解決するためのものである。
【問題を解決するための手段】
【０００４】  上記の課題を解決するために、丸型、角型テーブル、コタツ板等の食卓用テーブル（１）に、こぼれた液体類が溜まるこぼれ防止具（２）を取りつける、このこぼれ防止具は木製、押出し成形による合成樹脂製等のこぼれ防止具（２）から成り、食卓テーブルの上にこぼした食べ物，飲み物等の液体類をこぼれ防止具（２）の中に落とし込み溜める、落とし込んだ食べ物、飲み物は、食後、かたずける際にこぼれ防止具（２）を食卓テーブルから取り外し洗う。洗ったあと、再度簡単に食卓テーブルに取りつける。又必要のない時は取りつけなくても良い。こぼれ防止具（２）は図にも示したいろいろの形状、取り付け方法がある。
【発明の効果】
【０００５】高齢者、身障者、小さな子供がいる家庭、老人ホーム等で１日三回の食事時に食卓テーブルにこぼした食ベ物、飲み物を容易にこぼれ防止具に溜まるようにでき、衣服を汚さず又、食卓テーブルの下に落とさず床、ジュウタン、コタツフトンを汚さない、濡らさないで高齢者、身障者、小さな子供を叱ったりしないで済む効果が期待できる。
【発明を実施するための最良の課題】
【０００６】  以下、本発明の実施の形態を説明する。
（イ）丸型、角型テーブル、カウンター、コタツ板等の食卓用テーブル（１）を設け          る。
（ロ）木製、押出し成形した合成樹脂により製造したこぼれ防止具（２）を設ける。
（ハ）食卓テーブルの裏面にこぼれ防止具を取りつける木材Ａ（３）・Ｂ（４）を各          ４ヶ所に設け固定する。
（ニ）こぼれ防止具（２）を食卓テーブルに取付けるために固定した木材Ａ・Ｂに挿          入する。
（ホ）食事後にこぼれ防止具（２）にこぼした食物、飲物を洗うため、こぼれ防止具          （２）を取り外し洗う。
（ヘ）洗ったこぼれ防止具を再度食卓テーブルにセットする。
（ト）高齢者、身障者、小さな子供のいない家庭では、こぼれ防止具（２）を取り外          した状態で使用しても良い。
（チ）こぼれ防止具はいろいろの形状、取り付け方法が可能である。
本発明は，以上の構成よりなっている。
【図面の簡単な説明】
【０００７】
【図１】本発明の正面図
【図２】本発明の１部断面の右側面図
【図３】本発明の平面図
【図４】本発明のこぼれ防止具Ａの正面図
【図５】本発明のこぼれ防止具Ａの右側面図の断面
【図６】本発明の１部の実施例の図
【図７】本発明のこぼれ防止具Ｂの斜視図
【図８】本発明のこぼれ防止具Ｂの右側面図の断面
【図９】本発明のこぼれ防止具Ｂの一部の部品図
【図１０】本発明のこぼれ防止具Ｂのテーブルコーナ部の実施図
【図１１】本発明のこぼれ防止具Ｂの部品図
【符号の説明】
【０００８】１  食卓テーブル
２  こぼれ防止具Ａ
３  木材Ａ
４  木材Ｂ
５  こぼれ防止具Ｂ
６  こぼれ防止具Ｂ用取付け具
７  テーブルコーナーこぼれ防止具
【図１】
2007209724.tif 000003
【図２】
2007209724.tif 000004
【図３】
2007209724.tif 000005
【図４】
2007209724.tif 000006
【図５】
2007209724.tif 000007
【図６】
2007209724.tif 000008
【図７】
2007209724.tif 000009
【図８】
2007209724.tif 000010
【図９】
2007209724.tif 000011
【図１０】
2007209724.tif 000012
【図１１】
2007209724.tif 000013
(57)【要約】【課題】  この発明は、洗濯物あるいは、衣類の型崩れをさせず干すことの出来る、衣類用のハンガーを提供する。【解決手段】本体を、網目状円筒形にして、伸縮性を持たせたハンガーである。【選択図】図１
2007209727.tif 000002
【特許請求の範囲】
【請求項１】
網目状の円筒を使用して、伸縮性を持たせた、洗濯干し物用あるいは、衣類保存用のハンガー。
【発明の詳細な説明】
【技術分野】
【０００１】この発明は、洗濯物干しや衣類保存用のハンガーに、伸縮性を持たせ通気性を良くするために網目を利用したハンガーに関するものである。
【背景技術】
【０００２】従来、ハンガーは、サイズが限られていた。
【発明の開示】
【発明が解決しようとする課題】
【０００３】そのために、次のような問題点が生じていた。
（イ）半袖シャツを掛けると肩の部分までしかなく、端の部分が飛び出てシャツの、型崩れを起こしてしまう。
（ロ）長袖シャツの場合、肩の部分で、型崩れを起こすのと、袖の部分が下に下がる為、乾燥に時間がかかった。
本発明は、以上の問題点を解決したものである。
【課題を解決するための手段】
【０００４】ハンガーの本体部分を、網目の円筒状にし、何段かに段差をつけ、伸縮性を持たせた、衣類用のハンガーである。
【発明の効果】
【０００５】したがって、衣類の型崩れもなく、乾燥時間の短縮にもつながる、また、伸縮性もあるため、通常の収納には場所をとることもない。
【発明を実施するための最良の形態】
【０００６】以下、本発明の実施の形態について説明をする。
（イ）網目状の円筒（１）（２）（３）を、設ける
（ロ）円筒（３）は、（２）の中へ、（２）は、（１）の中へ、入るように、円筒の径を変えておく。
本発明は、以上の構成からなる衣類用のハンガーである。以下、使用法について説明をする。
通常、収納時は、（１）の部分に（２）（３）を、収める事により図２、のように収納し、使用時は、半袖、長袖、それぞれに合わせて、伸ばして、図１、のように、使用する、また、網目の円筒状なので通風性も良く、洗濯物の、渇きが早く衣類の型崩れもしない。
【図面の簡単な説明】
【０００７】
【図１】    本発明の使用時正面図
【図２】    本発明の収納時正面図
【図３】    本発明の斜視図
【符号の説明】
【０００８】    １、２、３、は網目状円筒
４、は結合部
【図１】
2007209727.tif 000003
【図２】
2007209727.tif 000004
【図３】
2007209727.tif 000005
(57)【要約】【課題】膝が痛くて曲げ難い方が、一つの道具を使い、簡単な操作で着脱できるように、また、手の力が弱い方でも片手で持てるように、軽量、安全性を重視した、靴下、ズボン等の着脱補助用具を提供する。【解決手段】握柄（１）にアーム（２）（２）を付け、クリップ（３）（３）に保護カバー（４）（４）を設けたことを特徴とする。【選択図】図１
2007209723.tif 000002
【特許請求の範囲】
【請求項１】
握柄（１）にアーム（２）（２）を設け、アーム〈２〉〈２〉にクリップ（３）（３）設けたことを特徴とする靴下、ズボン等の着脱補助用具。
【請求項２】
クリップ（３）（３）に保護カバー（４）（４）を設けてなる請求項１の靴下、ズボン等の着脱補助用具。
【請求項３】
アーム（２）（２）にクリップ（３）（３）の係止部（５）（５）を設けてなる請求項１の靴下、ズボン等の着脱補助用具。
【発明の詳細な説明】
【技術分野】
【０００１】  この発明は、膝が痛くて曲げ難い方が、自分で靴下やズボン等を着脱するための補助用具に関するものである。
【背景技術】
【０００２】  従来、靴下のみを履くものの装置があった。カギ状の先端や（商標）マジックテープに引っかけて着脱するものがあった。脱がすだけのものがあった。
【発明の開示】
【発明が解決しようとする課題】
【０００３】
【０００４】  これには次のような欠点があった。
（イ）靴下だけでなく、下着、ズボン、スカ−トなどを一つの道具を使って簡単な操作で着脱できなかった。
（ロ）足だけではなく片手も不自由な方や、手に力のない方のための軽量で、片手で使用できるものがなかった。
（ハ）棒状の用具の先のつめのひっかけ部や、（商標）マジックテープにひっかけてはくものがあったが、布から用具が外れやすく、操作が難かしかった。またはくときに用具のア−ムが足に当たって、はきにくかった。足が痛かった。
（ニ）はく布の開口部が狭くて足入れが難しかった。
本発明はこれらの欠点を除くためになされたものである。
【課題を解決するための手段】
【０００５】  握柄（１）に湾曲したア−ム（２）（２）をつける。ア−ム（２）（２）に保護カバ−（４）（４）のついたクリップ（３）（３）を設け、クリップ（３）（３）の係止部（５）（５）を設け、ヒモ（６）を設ける。
本発明は、以上の構成からなる靴下、ズボン等の着脱補助用具である。
【発明の効果】
【０００６】  本発明を使用することにより、ひとつの道具で靴下、下着、ズボン、スカ−ト等を着脱できる。
軽量で操作も簡単なので、片手でも使用できる。
ア−ムが湾曲しているので足に当たらない。
安全のために保護カバ−をつけたので足に優しくなり、ひやりとした感じや硬さが解消された。また幅の広いクリップを用いたので、はく布の開口部が広くなり足入れが楽になった。
ア−ムの幅がはくものや脱ぐものにより自由に変化できるので、布を挟み易いし、着脱が楽にできる。
また、脱ぐ時には、邪魔になるクリップを上に移動して止め、アームの先を指代わりに、全体を手代わりにして脱がすことができる。
また、アームの先端を使って物を引き寄せる道具としても使用できる。
【発明を実施するための最良の形態】
【０００７】  以下、本発明の実施の形態について説明する。
（イ）握柄（１）にアーム（２）（２）を差し込んで固定する。
（ロ）ア−ム（２）（２）は外に湾曲させて、先の方をＵ字状に折り返す。
（ハ）アーム（２）（２）の上部に柔軟性のある係止部（５）（５）を設ける。
（ニ）幅の広いクリップ（３）（３）に、やわらかく滑りのよい素材の保護カバー（４）（４）を接着する。
（ホ）クリップ（３）（３）はそれぞれの一方の外側に目印をつける。
そして目印のある穴の方から片側だけをア−ム（２）（２）に通す。
（ヘ）アーム（２）（２）にエンドキャップ（７）（７）をつける。
（ト）握柄（１）にヒモ（６）を付ける。本発明は以上のような耕造である。
これを使用するときは、まず、はくものに合わせてア−ム（２）（２）の先の広がりを調節する。
そしてクリップ（３）（３）は、目印のあるほうを内側にし、予め靴下などの両側を挟んでおく。
そして握柄（１）を持って、靴下等を足の先に届ける。布の開口部に足を差し込み、引き上げてはく。はき終わるとクリップ（３）（３）を外す。
なお、はくものの素材などにより、挟む部分を二重折りにするとよりしっかりと挟むことができる。
また、脱ぐときには邪魔になるクリップ（３）（３）をアーム（２）（２）の係止部（５）（５）またはヒモ（６）に移動して止めておく。アーム（２）（２）の先端部や、また、ズボン等の大きいものには全体を使って押し下げて脱がす。
【実施例】
【０００８】  図５、図６、図７、図８に示すようにクリップ（３）は布を挟む機能のものであれば素材、形状、耕造が違っても実施できる。保護カバー（４）も同様に実施できる。【０００９】  図５に示すように保護カバー（４）はクリップ（３）の下まで袋にしたものを被せ、部分的に留める方法もある。またクリップの外側をソフト樹脂、布、紙などで、一体加工したものの実施も考えられる。【００１０】  図５に示すようにクリップ（３）に板状の開口ガイド（８）を一体型、または後付けにより設けると開口部を広くしてはき易すく足入れが楽になる。
また保護カバー（４）に模様を入れたり、模様形のものにすると楽しい気分になる。【００１１】    図７に示すようにアーム（２）に柔らかい素材の樹脂、布、紙などで一体加工、  または後付けによりカバー（９）を、つけるとより肌に優しい靴下、ズボン等  の着脱補助用具となる。
【図面の簡単な説明】
【００１０】
【図１】本発明の斜視図
【図２】本発明の使用状態を示す斜視図
【図３】本発明の斜視図
【図４】本発明の斜視図
【図５】本発明の実施例の斜視図
【図６】本発明の実施例の斜視図
【図７】本発明の実施例の斜視図
【図８】本発明の実施例の斜視図
【符号の説明】
【００１１】１握柄
２アーム
３クリップ
４保護カバー
５係止部
６ヒモ
７エンドキャツプ
８開口ガイド
９カバー
【図１】
2007209723.tif 000003
【図２】
2007209723.tif 000004
【図３】
2007209723.tif 000005
【図４】
2007209723.tif 000006
【図５】
2007209723.tif 000007
【図６】
2007209723.tif 000008
【図７】
2007209723.tif 000009
【図８】
2007209723.tif 000010
(57)【要約】      （修正有）【課題】体全体の筋肉を使い、筋肉トレーニングあるいはダイエットを効果的に行うスイング式健康器具を提供する。【解決手段】膝置き部１を備えるアーチ状の接地部１の前方に取っ手２、後方に踏み台３を備えたスイング式健康器具。前後の揺らすことにより体全体の筋肉に負荷かけることができ、また従来の健康器具に比べ体全体にかかる負荷が小さくなることから、長時間の運動が可能になり効果的にトレーニングやダイエットを行うことができる。【選択図】図２
2007209726.tif 000002
【特許請求の範囲】
【請求項１】
膝置き部を備えるアーチ状の接地部の前方に取っ手を、後方に踏み台を有し、前後に揺らすことにより、体全体の筋肉を使い、トレーニングあるはダイエットをすることを目的とした健康器具。
【請求項２】
請求項１において、前後に揺れやすくするために、接地部の前方に鉄等の重りを有する健康器具。
【発明の詳細な説明】
【技術分野】
【０００１】  本発明は、体全体の筋肉を使うことにより、筋肉トレーニングあるいはダイエットを行うスイング式健康器具に関する。
【背景技術】
【０００２】  従来のローラー型健康器具により、体全体の筋肉を鍛えたりダイエットを行ったりすることができた（図４）。
【発明の開示】
【発明が解決しようとする課題】
【０００３】  しかし、従来のローラー型健康器具では、上半身の筋肉は比較的容易に使うことができたが、下半身の筋肉を使う場合はある程度の筋力がなければならず、また、長時間の運動をすることは困難であった。
【課題を解決する手段】
【０００４】  この課題を解決するための本発明は、アーチ状の接地部を有し、前後にスイングさせることにより体全体の筋肉を使う健康器具である（図２）。
【発明の効果】
【０００５】  本発明のスイング式健康器器具により、それほど筋力がない人でも容易に体全体の筋肉を使うことができる。また長時間の運動が可能になり、より効果的にダイエット等を行うことができる。
【発明を実施するための最良の形態】
【０００６】  本発明は図１のように膝置き部４を備えるアーチ状の接地部１を特徴とする構造となっている。前方に取っ手２、後方に踏み台３を備え、図２のような体勢で乗り、前後に揺らすことにより、効果的に体全体の筋肉に負荷をかけることができる。【０００７】  また、図３は接地部の前方に鉄等の重りを有するスイング式健康器具であり、より揺らすことを容易にし、運動を効果的にしている。
【図面の簡単な説明】
【０００８】
【図１】本発明に係るスイング式健康器具の斜視図である。
【図２】本発明に係るスイング式健康器具の使用例の説明図である。
【図３】本発明に係る重り付きスイング式健康器具の斜視図である。
【図４】従来のローラー型健康器具の使用例の説明図である。
【符号の説明】
【０００９】  １        接地部
２        取っ手
３        踏み台
４        膝置き部
５        重り
６        ローラー型健康器具
【図１】
2007209726.tif 000003
【図２】
2007209726.tif 000004
【図３】
2007209726.tif 000005
【図４】
2007209726.tif 000006
(57)【要約】【課題】アスベスト１をスラグ中に固溶化させる溶融装置２とアスベスト１を溶融装置へ吹込む吹込装置５とを具えることを特徴とするアスベスト固溶化システム及びアスベスト固溶化方法を提供する。【解決手段】本発明のアスベスト固溶化システム及びアスベスト固溶化方法は、アスベスト１をスラグ中に溶融固化させる装置を具えることを特徴とする。【選択図】図１
2007209834.tif 000002
【特許請求の範囲】
【請求項１】
アスベストを溶融する装置と
溶融した際生成するスラグ中に吹込んで溶し込む装置を具えることを特徴とするアスベスト固溶化システム。
【請求項２】
アスベストを溶融する工程と
溶融した際生成するスラグ中に吹込んで溶し込む工程を具えることを特徴とするアスベスト固溶化方法。
【発明の詳細な説明】
【技術分野】
【０００１】  本発明はアスベストを固溶化するシステム及び方法に関する。
【背景技術】
【０００２】  アスベストは、防音・断熱用として学校や各建築物、船舶、鉄道車両などに広範囲で使用されていた。また、絶縁材料としても使われていた。使用箇所は、自動車や鉄道車両のブレーキパッド、クラッチ板や建物の屋根瓦及び屋根用波板及び石膏板及び天井用化粧板及びガスケット及びシーリング材及びパッキング等幅広く使用されていた。【０００３】  アスベストはその特性から耐熱性に富んだ資材であったため焼却処理は出来なかった。その多くはシュレッダーで破砕して埋立ていたため、アスベスト繊維の飛散の問題があった。【０００４】  その空中に飛散したアスベスト繊維を肺に吸入すると約２０年から４０年の潜伏期間を経た後に肺がんや中皮腫の病気を引き起こす確率が高いため、環境上非常に問題である。【０００５】  また、廃棄するアスベストを埋立する以外、無害化処理方法は未だ無いのが現状である。【０００６】  特許文献１に記載された処理方法は、アスベストを硬化させるだけであり、アスベストの処理時においての飛散の防止に努めていない。
【特許文献１】  特許公開２００２−１３７９７６号公報
【発明の開示】
【発明が解決しようとする課題】
【０００７】  本発明の目的は、アスベスト１の固溶化システム及び固溶化方法を提供することにある。
【課題を解決するための手段】
【０００８】  上記目的を達成するため、スラグ４を生成可能な溶融装置２とアスベスト１を吹込む吹込装置５とを具えることにある。【０００９】  溶融装置２によりスラグ４を生成させ、その溶融装置２の内部にアスベスト１を装入する。スラグ４を生成させる際、塩基度（Ｃａｏ／ＳｉＯ２）が高い方が好ましい。【００１０】  溶融装置２に装入する際、吹込装置５により溶融スラグ３中に溶し込む。液体の中に固体を封じ込め、スラグ４として固溶化させる。【００１１】  溶融の際に酸化カルシウム等のカルシウム化合物の副資材を添加することにより、アスベスト１を塩基性にすることによりアスベスト１の融点を下げることができる。【００１２】  アスベスト１を溶融装置２により溶融した際スラグ４となり、その生成したスラグ４は、セメントの材料や肥料や道路の路盤材やレンガ等に利用可能である。また、スラグ４は溶出しにくく安定であるという特徴がある。【００１３】  また、本発明のアスベスト固溶化方法は、アスベスト１を溶融スラグ３中に溶し込み溶融処理する工程とを具えることにある。
【発明の効果】
【００１４】  本発明によれば、今まで処理が困難で埋立ばかりされてきたアスベスト１を無害化処理することができる。【００１５】  また、シュレッダー等の破砕工程が不要なため、アスベスト１が飛散して環境が汚染されるのを防止でき、飛散したアスベスト繊維を吸った際におこる人的被害の低減に大きく寄与できる。【００１６】  さらに、アスベスト１を無害化して再資源化することが可能になるため、埋立地の問題や埋立後の環境汚染を防止することができる。
【発明を実施するための最良の形態】
【００１７】  以下、本発明の実施形態を図面を参照しながら説明する。
図１は、アスベスト固溶化方法である。アスベスト１を吹込装置５によってスラグ４中に溶し込み溶融処理するフローチャートを示したものである。【００１８】  図１に示す溶融装置２は装置内部で溶融スラグ３が生成しやすい構造をしている。【００１９】  溶融装置２内部の温度を昇温する燃料は、石炭やコークス等の固形燃料が望ましいが、重油や灯油等の液体燃料や天然ガスを利用したバーナー等でもよい。【００２０】  アスベスト１を溶融装置２に装入して溶融する際、酸化カルシウム等のカルシウム化合物の副資材を添加すると、アスベスト１の融点を下げることによりアスベスト１独自で溶融するより低い温度で溶融できる上で好ましい。【００２１】  溶融装置２でアスベスト１を溶融した際にスラグ４として排出される。このスラグ４は、セメントの材料や肥料や道路の路盤材やレンガ等に利用可能である。
【実施例１】
【００２２】  本発明のアスベスト固溶化システム（図１）を用いて、アスベスト１を溶融してできたスラグ４の成分を測定して、通常のスラグ４と測定した値を比較したところほとんど差は見られなかった。下表にスラグ４の主な成分の測定結果を示す。
この結果から、スラグ４への影響はほとんどないものと考えてよい。
【表１】
2007209834.tif 000003
【産業上の利用可能性】
【００２３】  本発明によれば、今まで処理が困難で埋立ばかりされてきたアスベスト１を無害化処理することができる。【００２４】  また、シュレッダー等の破砕工程が不要なため、アスベスト１が飛散して環境が汚染されるのを防止でき、飛散したアスベスト繊維を吸った際におこる人的被害の低減に大きく寄与できる。【００２５】  さらに、アスベスト１を無害化して再資源化することが可能になるため、埋立地の問題や埋立後の環境汚染を防止することができる。
【図面の簡単な説明】
【００２６】
【図１】  本発明に従うアスベスト固溶化システムの代表的なフローチャートである。
【符号の説明】
【００２７】  １  アスベスト
２  溶融装置
３  溶融スラグ
４  スラグ
５  吹込装置
【図１】
2007209834.tif 000004
(57)【要約】【課題】ヘドロや、油分、鉄分、その他の重金属、ダイオキシン等の汚染物質を含む汚染水を安価且つ永続的に処理可能な水質浄化方法を提供する。【解決手段】蓬莱竹１を例えば植木鉢などの栽培用の容器２に植えて、容器２ごと湖沼や河川の水３の中に入れ、また、生活廃水や工場廃水の場合は水槽に溜めた水に根を浸して蓬莱竹を育成する。蓬莱竹１は、例えば鉢植え状態で水中に入れる。直植えも可能である。この方法は、他の水質浄化方法と組み合わせて実施することもできる。例えば、蓬莱竹を育成している水の中に酸素を注入することで浄化作用が一層顕著となる。【選択図】図１
2007209867.tif 000002
【特許請求の範囲】
【請求項１】
水質汚染物質を含む水の中に根を浸して蓬莱竹を育成することにより当該水中の汚染物質を低減することを特徴とする水質浄化方法。
【請求項２】
ヘドロを含む水の中に根を浸して蓬莱竹を育成することにより当該水中のヘドロ成分を低減することを特徴とする水質浄化方法。
【発明の詳細な説明】
【技術分野】
【０００１】
本発明は、水中に含まれるヘドロや、油分、鉄分、その他の重金属、ダイオキシン等の汚染物質を低減し水質を浄化する水質浄化方法に関する。
【背景技術】
【０００２】
河水、湖水、沼水、池水、生活廃水、工場廃水等に含まれるヘドロその他の水質汚染物質を低減する水質浄化の方法として、活性炭等を利用するもの、バイオ技術によるもの、酸素等を注入するもの、その他の方法が従来から知られている（例えば、特許文献１、２参照。）。
【特許文献１】特開２００１−２０５０２４号公報
【特許文献２】特開２００２−３７００２３号公報
【発明の開示】
【発明が解決しようとする課題】
【０００３】
しかしながら、上記従来の水質浄化方法は、効果の持続性、維持管理の作業性、コスト等に問題があり、特に、ヘドロや、油分、鉄分、その他の重金属、ダイオキシン等を含む大量の汚染水を安価且つ永続的に処理することは困難であった。
【０００４】
本発明の目的は、ヘドロや、油分、鉄分、その他の重金属、ダイオキシン等の汚染物質を含む汚染水を安価且つ永続的に処理可能な水質浄化方法を提供することにある。
【課題を解決するための手段】
【０００５】
本発明は、生育中の蓬莱竹の優れた水質浄化作用に着目し、これを利用して、河水、湖水、沼水、池水、生活廃水、工場廃水等に含まれるヘドロや、油分、鉄分、その他の重金属、ダイオキシン等の水質汚染物質を安価且つ永続的に低減可能としたものである。
【０００６】
本発明の水質浄化方法は、河水、湖水、沼水、池水、生活廃水、工場廃水等、ヘドロや、油分、鉄分、その他の重金属、ダイオキシン等の水質汚染物質を含む水の中に根を浸して蓬莱竹を育成することにより当該水中の汚染物質を低減することを特徴とする。
【０００７】
蓬莱竹は、例えば植木鉢などの容器に植えて容器ごと水の中に入れ、根を水中に浸した状態で固定するのがよい。こうして水中で蓬莱竹を育成することで、水中のヘドロや、油分、鉄分、重金属、ダイオキシン等の水質汚染物質を顕著に低減できる。そして、その効果は、蓬莱竹が生育し続ける限り永続的に持続する。また、蓬莱竹の育成は手間がかからず、費用も安くて済む。
【発明の効果】
【０００８】
以上のとおり、本発明の水質浄化方法によれば、ヘドロや、油分、鉄分、重金属、ダイオキシン等の汚染物質を含む汚染水を安価且つ永続的に処理可能となる。
【発明を実施するための最良の形態】
【０００９】
図１に本発明の実施形態の一例を示す。本発明の水質浄化方法は、河水、湖水、沼水、池水、生活廃水、工場廃水等、ヘドロや、油分、鉄分、その他の重金属、ダイオキシン等の水質汚染物質を含む水の中に根を浸して蓬莱竹を育成することにより当該水中の汚染物質を低減するもので、実施に際しては図１に示すように蓬莱竹１を例えば植木鉢などの栽培用の容器２に植えて、容器２ごと水３に入れ、根を水３の中に浸した状態で固定する。蓬莱竹１は、直植えすることも可能である。また、必要に応じて杭や支え木を使用する。
【００１０】
湖沼や池などでは、このように鉢植えあるいは直植えで蓬莱竹１を育成することにより、水中のヘドロや、油分、鉄分、重金属、ダイオキシン等の水質汚染物質を顕著に低減でき、その効果は、蓬莱竹１が生育し続ける限り永続的に持続する。そして、蓬莱竹１の育成は手間がかからず、費用も安くて済む。また、この実施形態のように蓬莱竹１を植木鉢などの容器２に植えて水３の中に置くようにすると、容器２ごと引き上げて、手入れしたり、入れ替えたりすることができ、維持管理が一層容易である。
【００１１】
同様の方法で、河水や、生活廃水や工場廃水の水質浄化を行うことができる。例えば、河川などでは、岸辺などの水が淀む場所を選び、あるいは人工的に淀み部を作って、流れに沿って延々と蓬莱竹の容器を並べ、あるいは直植えして育成する。また、生活廃水や工場廃水の場合は、一旦水槽に溜め、その水槽に例えば鉢植えした蓬莱竹を入れ、根が水に浸かった状態で蓬莱竹を育成する。
【００１２】
この方法による水質浄化の効果は顕著である。例えば、都市部のどこでもよく見られる汚れた河川の１つから採取したヘドロ状の土とその水を試料とし、その試料を２つに分けて水槽に入れ、一方の水槽には蓬莱竹の株を入れ、他方の水槽はそのままの状態で、経過を見て、４５日後に各水槽から水質分析のための試料を採取し、色および濁りを観測し、また、窒素およびリンを分析する水質浄化試験を実施した。その結果は次のとおりである。
【００１３】
蓬莱竹の株を入れなかった水槽の試料は、当初飼料（河川から採取した当時の試料）に比べて色および濁りがやや増しているのに対し、蓬莱竹の株を入れた水槽の試料は、当初試料に比べて色および濁りが少なくなっていた。
【００１４】
また、蓬莱竹の株を入れた水槽の試料は、全窒素が１．３２ｍｇ／Ｌで、当初試料のそれ（６．３３ｍｇ／Ｌ）に比べて約１／５に低下し、全リンが０．５２ｍｇ／Ｌで、当初試料のそれ（１．７４ｍｇ／Ｌ）に比べて約１／３に低下していた。それに対し、蓬莱竹の株を入れなかった水槽の試料は、全窒素が９．６８ｍｇ／Ｌで、当初試料のそれ（６．３３ｍｇ／Ｌ）に比べて約１．５倍に増加し、全リンが１．８７ｍｇ／Ｌで、当初試料のそれ（１．７４ｍｇ／Ｌ）に比べて僅か増加していた。そして、全窒素の内訳は、蓬莱竹の株を入れた水槽の試料では、当初試料では多かったアンモニア態窒素がなくなり、懸濁態窒素が大きく減少していた。それに対し、蓬莱竹の株を入れなかった水槽の試料では、懸濁態窒素が大きく増加してした。また、全リンの内訳は、いずれもほとんどが懸濁態リンであった。
【００１５】
この発明の水質浄化方法は、他の水質浄化方法と組み合わせて実施することもできる。例えば、蓬莱竹を育成している水の中に酸素を注入することで、浄化作用が一層顕著となる。
【図面の簡単な説明】
【００１６】
【図１】本発明の実施形態の一例の説明図である。
【符号の説明】
【００１７】
１  蓬莱竹
２  植木鉢などの容器
３  水
【図１】
2007209867.tif 000003